(57)【要約】【課題】機器の動作や機能を切替えるパラメータ設定機能に関して、電子回路基板上に省スペースに配置したスイッチの所定操作よりモード移行、設定変更操作、記憶を実現する。【解決手段】モード切替操作手段４と、モード切替操作確定手段５と、モード選択操作手段６と、モード設定値変更手段７、表示手段８、設定値記憶手段９とを備え、モード切替操作手段４とモード切替操作確定手段５によって、運転モードを機器の動作や機能を切替えるパラメータ設定モードに切替え、モード選択操作手段６によって、対象のパラメータを選択し、モード設定値変更手段により対象パラメータの設定値を変更できる構成としたので、機器本体の切替えが必要な動作や機能が増えた場合、別途スイッチを設けることなく、パラメータ設定項目を追加することができる。【選択図】図１
2005147548.tif 000002
【特許請求の範囲】
【請求項１】
機器の運転モードを通常動作とは別の動作に切替えるための開始操作と終了操作を行うモード切替操作手段と、前記モード切替操作手段の所定の操作を確定するモード切替操作確定手段と、前記モード切替操作確定手段によって開始した機器の動作や機能の有無を決定するパラメータ設定機能の種類を選択するモード選択操作手段と、前記モード選択操作手段によって選択された運転モードの設定値を変更するモード設定値変更手段と、前記モード切替操作手段やモード切替操作確定手段やモード選択操作手段やモード設定値変更手段の操作結果を外部へ表示するモード表示手段と、前記モード設定値変更手段によって変更された設定値を記憶する設定値記憶手段とを設けた運転モード切替え装置。
【請求項２】
モード切替操作手段と、モード選択操作手段と、モード設定値変更手段は、プッシュスイッチとした請求項１に記載の運転モード切替え装置。
【請求項３】
モード切替操作確定手段は、モード切替操作手段の所定時間の連続操作によって開始操作や終了操作を確定するタイマー手段とした請求項１に記載の運転モード切替え装置。
【請求項４】
モード切替操作確定手段は、モード切替操作手段と、モード選択操作手段と、モード設定値変更手段との所定の組合せ操作のよって開始操作や終了操作を確定する特殊操作検出手段とした請求項１に記載の運転モード切替え装置。
【請求項５】
モード表示手段は、ＬＥＤを用いて点灯と点滅と消灯の組合せによって表示する請求項１に記載の運転モード切替え装置。
【発明の詳細な説明】
【技術分野】
【０００１】
本発明は、ガスや石油等を燃料とする給湯器や電気温水器の運転モードを切替える手段に関するものである。
【背景技術】
【０００２】
従来、この種の運転モード切替え装置は、リモートコントローラ（以下、リモコンという）に設けられる操作スイッチの所定操作により、通常の給湯動作モードから設定切替モードに移行可能に構成されている（例えば、特許文献１参照）。
【特許文献１】特開平１１−３２５５９２号公報
【発明の開示】
【発明が解決しようとする課題】
【０００３】
しかしながら上記従来の運転モード切替え装置では、機器本体にリモコン接続が必須であり、リモコンの接続を必要としない固定温度で給湯動作が可能な機能（リモコンレス機能）を有する給湯器を使用する場合は、設定切替えモードへ移行することができないという課題を有していた。
【０００４】
また、リモコンを使用する以前は設定切替え数分のディップスイッチのスイッチ数を設ける必要があり、電子回路基板の実装上スペース確保が非常に困難になる。また近年この種の製品の電子回路基盤は防水性等の信頼性を向上するため、例えばウレタン樹脂で電子回路基板の表面と裏面の全体をコーティング（ポッティング加工）する構成であり、ディップスイッチに関してもポッティング加工する厚さ以上の高さを有する部品を選択する必要があり、部品単価も高くなるというコスト的な課題を有していた。
【０００５】
本発明は上記課題を解決するもので、機種の動作や機能の有無を決定するパラメータ設定機能（以下、パラメータ設定機能という）として、ディップスイッチを設けることなく複数のプッシュスイッチの所定の操作と記憶手段によって切替え操作と記憶動作をする構成とした運転モード切替え装置を提供することを目的とする。
【課題を解決するための手段】
【０００６】
前記従来の課題を解決するために、本発明の運転モード切替え装置は、機器の運転モードを通常動作とは別の動作に切替えるための開始操作と終了操作を行うモード切替操作手段と、前記モード切替操作手段の所定の操作を確定するモード切替操作確定手段と、前記モード切替操作確定手段によって開始した機器の動作や機能の有無を決定するパラメータ設定機能の種類を選択するモード選択操作手段と、前記モード選択操作手段によって選択された運転モードの設定値を変更するモード設定値変更手段と、前記モード切替操作手段やモード切替操作確定手段やモード選択操作手段やモード設定値変更手段の操作結果を外部へ表示する表示手段と、前記モード設定値変更手段によって変更された設定値を記憶する設定値記憶手段とを設けたものである。
【０００７】
これによって、機種の動作や機能の有無を決定するパラメータ設定機能が増えた場合でも、モード切替え操作手段とモード切替操作確定手段によって「パラメータ設定機能」モードに切替え、増えたパラメータ機能をソフトウエア等で論理的に追加する構成にできる。
【発明の効果】
【０００８】
本発明の運転モード切替え装置は、スイッチ等を増やすことなくパラメータ設定機能を実現するので、電子回路基板上の新たな部品実装スペースを確保する必要がなくなり、部品追加によるコストアップも無くすことができる。
【発明を実施するための最良の形態】
【０００９】
第１の発明は、機器の運転モードを通常動作とは別の動作に切替えるための開始操作と終了操作を行うモード切替操作手段と、前記モード切替操作手段の所定の操作を確定するモード切替操作確定手段と、前記モード切替操作確定手段によって開始した機器の動作や機能の有無を決定するパラメータ設定機能の種類を選択するモード選択操作手段と、前記モード選択操作手段によって選択された運転モードの設定値を変更するモード設定値変更手段と、前記モード切替操作手段やモード切替操作確定手段やモード選択操作手段やモード設定値変更手段の操作結果を外部へ表示する表示手段と、前記モード設定値変更手段によって変更された設定値を記憶する設定値記憶手段とを設け、機器本体の動作モードをモード切替操作手段とモード切替操作確定手段によって「パラメータ設定機能」モードに切替え、モード選択操作手段によって対象となるパラメータ項目を選択し、モード設定値変更手段によってパラメータの設定変更を行い、設定変更値を記憶手段に記憶することができ、パラメータが増えた場合はモード選択操作手段によるモード選択数を増やす構成で実現できるので、新たに電子部品を追加する必要がなくなる。
【００１０】
第２の発明は、モード切替操作手段と、モード選択操作手段と、モード設定値変更手段は、プッシュスイッチとしたことにより、特殊な部品ではなく３つのスイッチによって構成することができ、電子回路基板上も省スペースで実装することができる。
【００１１】
第３の発明は、モード切替操作確定手段は、モード切替操作手段の所定時間の連続操作によって開始操作や終了操作を確定するタイマー手段としたことにより、単純なオン・オフ操作ではなく、所定時間以上の連続操作によって操作を確定することができので、誤操作を防止することができる。
【００１２】
第４の発明は、モード切替操作確定手段は、モード切替操作手段と、モード選択操作手段と、モード設定値変更手段との所定の組合せ操作のよって開始操作や終了操作を確定する特殊操作検出手段とし、複数のスイッチの組合せ操作により、スイッチのショート故障を考慮し、更に誤動作を防止することができる。
【００１３】
第５の発明は、モード表示手段は、ＬＥＤを用いて点灯と点滅と消灯の組合せによって表示し、少ない表示媒体によってできる限り判りやすい表示を実現でき、誤設定等を防止することができる。
【００１４】
以下、本発明の実施形態について、図面を参照しながら説明する。なお、本実施の形態によって、本発明が限定されるものではない。
【００１５】
（実施の形態１）
図１は、本発明の第１の実施の形態における運転モード切替え装置のブロック図である。
【００１６】
図１において、１は選択スイッチであり、２はアップスイッチであり、３はダウンスイッチである。４は前記選択スイッチのオン状態を読み取り、パラメータ設定モード操作が始まったことを検出するモード切替操作手段であり、５は前記モード切替操作手段４の判断結果を踏まえて、所定の条件を満たした場合パラメータ設定モードへの移行を確定するモード切替操作確定手段である。６は前記モード切替操作確定手段５により開始したパラメータ設定モードのパラメータ番号を選択するモード選択操作手段であり、前記アップスイッチ２とダウンスイッチ３によって、パラメータ番号を選択する。７は前記モード選択操作手段によって確定したパラメータ番号の設定値を設定変更するモード設定値変更手段であり、前記アップスイッチ２とダウンスイッチ３によって、パラメータ設定値を変更する。８は前記モード設定値変更手段７によって変更した設定値を例えば不揮発性メモリ等に記憶する設定値記憶手段である。９は、前記モード切替操作確定手段５と、モード選択操作手段６と、モード設定値操作手段７の判定結果を踏まえて、外部へ表示するモード表示手段である。選択スイッチ１と、アップスイッチ２と、ダウンスイッチ３と、モード表示手段９のみによってパラメータ設定モードへの移行操作、設定変更ができるので、省スペース化が実現できる。
【００１７】
図２は、本発明の第２の実施の形態における運転モード切替え装置のブロック図であり、第１の実施の形態と同一部分は同一番号を付記し、説明を省略する。
【００１８】
図２において、１０はモード切替操作手段４によって読み取られた選択スイッチ１のオン状態を計測し、所定時間経過でパラメータ設定モードへの移行を確定するモード切替えタイマー手段である。モード切替えタイマー手段１０により、単純なオン・オフ操作ではなく、所定時間以上の連続操作によって操作を確定することができるので、誤操作を防止することができる。
【００１９】
図３は、本発明の第３の実施の形態における運転モード切替え装置のブロック図であり、第１の実施の形態と同一部分は同一番号を付記し、説明を省略する。
【００２０】
図３において、１１は、選択スイッチ１と、アップスイッチ２と、ダウンスイッチ３との所定の組合せ操作のよって開始操作や終了操作を確定する特殊操作検出手段であり、複数のスイッチの組合せ操作にすることにより、１つのスイッチのショート故障を考慮し、更に誤動作を防止することができる。
【００２１】
そして、運転モード切替装置のモード表示手段としては、複数のＬＥＤを組み合わせて複数の表示パターンを設定しモード表示を行うようにしている。
【００２２】
例えば、図４に示すように、通常モードからパラメータ機能に切替えると、ＬＥＤ１とＬＥＤ２により点灯、消灯、点滅表示を組み合わせて（表１）に示すように、複数種のパラメータ設定ができるようにしている。
【００２３】
【表１】
2005147548.tif 000003
【００２４】
（表１）にて、パラメータ番号に応じて、パラメータ設定モード中は、ＬＥＤ１を点滅し、パラメータ設定値が「あり」の場合ＬＥＤ２を点灯し、設定値が「なし」の場合、消灯をする。
【産業上の利用可能性】
【００２５】
以上のように、本発明にかかる運転モード切替え手段は、スイッチの所定の操作とＬＥＤ表示で実現することが可能となるので、パラメータ設定方法として給湯器以外の機器の用途にも適用できる。
【図面の簡単な説明】
【００２６】
【図１】本発明の第１の実施の形態における運転モード切替え装置のブロック図
【図２】本発明の第２の実施の形態における運転モード切替え装置のブロック図
【図３】本発明の第３の実施の形態における運転モード切替え装置のブロック図
【図４】本発明の実施の形態における運転モード切替え装置のモード表示手段を示す図
【図５】従来の運転モード切替え装置のシステム構成図
【符号の説明】
【００２７】
４  モード切替操作手段
５  モード切替操作確定手段
６  モード選択操作手段
７  モード設定値変更手段
８  モード表示手段
９  設定値記憶手段
【図１】
2005147548.tif 000004
【図２】
2005147548.tif 000005
【図３】
2005147548.tif 000006
【図４】
2005147548.tif 000007
【図５】
2005147548.tif 000008